(57)【要約】【課題】  従来の電気掃除機用吸込具の拭きローラは、拭き掃除終了後充分に洗浄しないと、保水した水自体の腐食及び拭きローラが拭き取った埃や汚れ等による保水した水の腐食促進により、菌等の微生物が繁殖してぬめり等を発生し易い。【解決手段】  本発明の電気掃除機用吸込具は、吸込口、前記吸込口と電気掃除機本体の吸引側の接続部との間の吸込径路、拭きローラ、前進、後退時の移動を容易にする車輪等を備え、拭きローラが外表面側に水分を保持するローラ体を有し、また、拭きローラは、ローラ体に水を保持させる場合に、保有する抗菌剤と接触させることにより水を抗菌水とし、該抗菌水をローラ体の保持水とするものである。【選択図】        図４
2005066061.tif 000002
【特許請求の範囲】
【請求項１】
吸込口、前記吸込口と電気掃除機本体の吸引側の接続部との間の吸込径路、拭きローラ、前進、後退時の移動を容易にする車輪等を備えた電気掃除機用吸込具において、
前記拭きローラは、外表面側に水分を保持するローラ体を有し、
また、前記拭きローラは、前記ローラ体に水を保持させる場合に、保有する抗菌剤と接触させることにより前記水を抗菌水とし、該抗菌水を前記ローラ体の保持水とすることを特徴とする電気掃除機用吸込具。
【請求項２】
前記拭きローラを着脱可能とし、前記拭きローラのローラシャフト内に抗菌剤を収容し、前記ローラシャフト内に水を導入し、前記抗菌剤と接触させ、生成される抗菌水を外表面側のローラ体に保持させることを特徴とする請求項１に記載の電気掃除機用吸込具。
【請求項３】
前記ローラシャフト内に収容する抗菌剤を抗菌剤含有の球状体とし、前記拭きローラを使用することにより、前記球状体は相互衝突による表面磨耗により、新しい面がでることを特徴とする請求項２に記載の電気掃除機用吸込具。
【請求項４】
前記拭きローラを着脱可能とし、前記拭きローラのローラシャフト面に形成された抗菌剤層に水を接触させることにより生成される抗菌水を外表面側のローラ体に保持させることを特徴とする請求項１に記載の電気掃除機用吸込具。
【請求項５】
請求項１〜請求項４のいずれかの請求項に記載の電気掃除機用吸込具を吸込具としたことを特徴とする電気掃除機。
【発明の詳細な説明】
【技術分野】
【０００１】
本発明は電気掃除機用吸込具及びこの吸込具を有する電気掃除機に関するものである。
【背景技術】
【０００２】
従来の電気掃除機用吸込具としては、特許文献１に次のように記載されている。
「吸込口体２０のメイン吸込口２１と補助吸込口２２との間には、吸込口体２０を前進移動させつつ停止して床を水雑巾処理する雑巾ロール２６が吸込口体２０の後進移動につれて、一定角度ずつ時計方向へ回転されるよう設けられている。この雑巾ロール２６は、綿、スポンジ又は人造紙などで作られて、中央に円形孔の形成された円筒柱状であり、この雑巾ロール２６は水雑巾掃除する際、ごみや汚物などにより汚れた場合、洗浄できるように雑巾ロール支持手段２８の外側面に同軸に着脱できるように係合されており、雑巾ロール支持手段２８の中央通孔には雑巾ロール２６を支持するメインシャフト３１が挿入されており、このメインシャフト３１の両端部には、吸込口体２０の両側壁部２０ａの内側に形成された軸受け２７に回転できると共に、着脱できるように装着されている。」
【特許文献１】実用新案登録第２５４３８６２号公報（第３頁、図２、図３、図４）
【発明の開示】
【発明が解決しようとする課題】
【０００３】
従来の電気掃除機用吸込具の雑巾ロール（本発明の拭きローラ）は、取外して洗浄できるようになっているが、雑巾ロールの洗浄手入れは、かならずしも充分なされないのが常であり、保水した水自体が腐食し易いが、雑巾ロールが拭き取った埃や汚れ等により雑巾ロールに保水している水が汚染され腐食を促進させ、菌等の微生物が繁殖してぬめり等の原因になリ易い。このような状態が最悪化すると雑巾ロールから悪臭が発生するようになる。また、このような状態で雑巾ロールを再使用すると、掃除床面に汚水を塗布していることとなり、不衛生な状況になるという欠点があった。
【０００４】
本発明は、上述のような課題を解決するためになされたもので、湿式拭き掃除終了後の拭きローラの手入れが行われない状況で、拭きローラが乾燥しにくい環境条件下においても、拭きローラに保水された水の腐食を抑制し拭きローラを清潔に保つとともに、拭きローラに保水された水を抗菌作用を有する水にして床面の拭き掃除を清潔な状態でできる電気掃除機用吸込具を得ることを目的とする。また、このような吸込具を有する電気掃除機を得ることを目的とする。
【課題を解決するための手段】
【０００５】
この発明に係わる電気掃除機用吸込具は、吸込口、前記吸込口と電気掃除機本体の吸引側の接続部との間の吸込径路、拭きローラ、前進、後退時の移動を容易にする車輪等を備え、拭きローラが外表面側に水分を保持するローラ体を有し、また、拭きローラは、ローラ体に水を保持させる場合に、保有する抗菌剤と接触させることにより水を抗菌水とし、該抗菌水をローラ体の保持水とするものである。
【発明の効果】
【０００６】
本発明の電気掃除機用吸込具の拭きローラは、水を保持させる場合に、保有する抗菌剤と接触させることにより水を抗菌水とし、該抗菌水をローラ体の保持水とするので、湿式拭き掃除終了後に充分な洗浄等の手入れなしに、乾燥しにくい環境下においても、拭きローラに保持された水の腐食を抑制でき、清潔に保つことができる。また、湿式拭き掃除においては、抗菌作用を有する水で床面の拭き掃除をするので、清潔な拭き掃除ができる。
【発明を実施するための最良の形態】
【０００７】
実施の形態１．
図１、図２はこの発明の実施の形態１の電気掃除機用吸込具を示す斜視図で、それぞれ、表側から見た図、裏側から見た図であり、図３は、同じく電気掃除機用吸込具の縦断面図であり、図４は、同じく電気掃除機用吸込具の横断面図であり、図５は、同じく電気掃除機用吸込具の拭きローラのローラシャフトを示す斜視図であり、図６は、同じく電気掃除機用吸込具の拭きローラの吸水時の動作を説明する図であり、図７は、同じく電気掃除機用吸込具の別の拭きローラの吸水時の動作を説明する図である。
【０００８】
図１、図２、図３及び図４において、吸込具１は、外側を上ケース２と下ケース３で構成され、これらの上下ケースに挟持される回転軸４ａにより接続管４の端部が回転可能に取付けられる。接続管４は、図示しない電気掃除機本体の吸引側に蛇腹ホース及び延長管を介して連結される。
また、上ケース２と下ケース３の間には吸込経路５が設けられ、吸込経路５の先端の下ケース３の下面前部に長手方向にわたって吸込口６が形成されている。吸込口６の前方ほぼ両端付近には前車輪６ａが配設され、吸込口の６後方には前記吸込口６と平行にブレード７が配設されている。
【０００９】
さらに、下ケース３の下面中央部にはローラ収納室８が形成され、前記吸込経路５及び吸込口６とは略独立した空間で形成されている。ローラ収納室８内には拭きローラ９が装備されている。拭きローラ９は、円筒状のローラシャフト１５とローラシャフト１５外面を覆うローラ体１３から構成される。
ローラ収納室８の内部の一方の片端には拭きローラ９の支持軸１０を回転しないように軸止する軸受１１が形成され、他方の片端には、ローラ取外しドア組立１２が設けられ、ローラ取外しドア組立軸部１２ａ（以下、ドア組立軸部１２ａとする）が拭きローラ９のローラ体１３の内面に形成されるローラ内軸受１４に挿入され、回動自在に軸支している。また、ローラシャフト１５内面にベアリング支持軸１７が挿設され、このベアリング支持軸１７内には、一方向性回転ベアリング１８が内設されている。そして、軸受１１と反対側で、支持軸１０に連結された連結棒１９がこの一方向性回転ベアリング１８に軸支されている。
【００１０】
そこで、拭きローラ９は、一方側で支持軸１０を軸受１１に着脱可能に挿入することにより支持され、他方側でローラ内軸受１４内に着脱可能にドア組立軸部１２ａ嵌合させることにより支持され、また、一方側で支持軸１０に連結する連結棒１９と一方向性回転ベアリング１８間の一方向の回転により、他方側でローラ軸受１４とドア組立軸部１２ａ間の回転により、一方向の回転をし、反対方向には回転しない。
また、ローラ取外しドア組立１２は開閉可能であり、ローラ取外しドア組立１２を開けることにより、拭きローラ９は着脱自在となり、ローラ内軸受１４、ベアリング支持軸１７、一方向性回転ベアリング１８、連結棒１９、支持軸１０及び及び抗菌剤溶出体１６が一体で、取出すことができ、拭きローラ９の洗浄が行えるようになっている。
【００１１】
また、ドア組立軸部１２ａ挿入側と反対側のローラ内軸受１４の底面には流水穴１４ａが貫通し、水がローラシャフト１５内の空間に流入できるようになっている。また、ローラシャフト１５にはローラ体１３内に流入してきた水を放水するための放水穴１５ａが多数個開口しており、外側のローラ体１３に給水する。図５にローラシャフト１５に設けた放水穴１５ａを示す。
ローラ体１３は、例えば起毛布などによって構成すれば乾式拭き掃除はできるが、吸水性スポンジなどによって構成すれば、ローラ体１３に水を保水させることにより、湿式拭き掃除をさせることも可能である。
【００１２】
また、円筒状のローラシャフト１５の内部には、棒状の抗菌剤溶出体１６を収容する。
抗菌剤溶出体１６は一方の端部をローラシャフト１５に挿設されたベアリング支持軸１７により支持され、他方の端部をローラ内軸受１４で支持されている（図４参照）。
抗菌剤溶出体１６は、例えば、アルミニウムやステンレス、セラミックス等の非腐食性素材の表面に銀（Ａｇ）を添着させ被膜１６ａを形成させ、この抗菌剤である銀（Ａｇ）被膜１６ａが水分に触れることで被膜から銀イオン（Ａｇ＋）が極微量溶出するようにコントロールしたものや、無機・有機系抗菌剤を成形して溶解調整したものが考えられる。さらにその形状、形態は長手円筒形のスティック状のものや、ボール状、粒状、粉末状等が考えられる。
【００１３】
さらに、ケース３の下面後部には可動アーム２０が可動アーム軸２１により下ケース３に軸支されている。可動アーム２０には後車輪２２が回転自在に軸支されている。ここで、接続管４の回転軸４ａとの位置関係は接続管４の回転軸４ａの前方に可動アーム軸２１が接続管４の回転軸４ａの後方に後車輪２２が配置されている。下ケース３と可動アーム２０の間には、可動用バネ２３が狭持され、後車輪２２を含む可動アーム２０を所定範囲内で弾力を持たせている。
【００１４】
次に動作について説明する。
吸込具１が接続された図示しない電気掃除機本体の吸引作用により塵埃のほとんどは吸込具１の吸込口６から吸込経路５を通り接続管４内を通り、図示しない蛇腹ホース及び延長管を介して電気掃除機本体の集塵室に集納される。その際、吸込口６後方に平行に配設されたブレード７は、吸込具１本体の後方からの空気の流入を防止し、吸込口６からの吸込力が低下するのを防止するとともに、吸込口６から後方にゴミ等の流出を防ぎ、拭きローラ９のローラ体１３への塵埃の付着を軽減している。
【００１５】
吸込具１は被掃除床面上を前進、後退を繰り返す掃除動作により床面の掃除を行うが、吸込具１の前進時には、電気掃除機本体の吸引作用により塵埃を吸い取るとともに、ローラ収納室８に装備された拭きローラ９内の一方向性回転ベアリング１７の作用により前進時の拭きローラ９の回転は止められ、吸込具１の前進操作による押圧作用でローラ体１３が圧縮されながら、掃除床面を移動していくため、吸引掃除で吸い残された微細塵等を掃除床面から確実に拭き取る。
【００１６】
また、吸込具１の前進移動動作により図示しない蛇腹ホースの手元部及び延長管を通して接続管４の方向から操作力が加わると、可動アーム２０と下ケース３との間に狭持された可動用バネ２３の圧縮作用による可動アーム２０と後車輪２２のサスペンション効果により、拭きローラ９のローラ体１３の外周が被掃除面と接触するまでの間、接続管４の方向から操作力を加わえる掃除作業者の腕等への負担やショックを軽減している。
【００１７】
一方、吸込具１の後退時には、電気掃除機本体の吸引作用により塵埃を吸い取るとともに、拭きローラ９内の一方向性回転ベアリング１８の一方向回転作用により、拭きローラ９は回転する。拭きローラ９の回転は一連の前進、後退を繰り返す掃除動作により、前進時に停止、後退時に回転を繰り返すことで前進時に被掃除面を接触したローラ体１３の外周面を後退時の回転で位置替えを行い、次の前進時には被掃除面と接触するローラ体１３の外周面が同一箇所とならないようにしている。この作用により、ローラ体１３の外周面を有効活用し、被掃除面のより清潔な拭き掃除を実現させることができる。
【００１８】
次に、拭きローラ９に吸水させ抗菌水にしてローラ体１３に保水させる動作について説明する。
湿式拭き掃除を始める準備段階や湿式拭き掃除により拭きローラ９のローラ体１３に保水させた水分が被掃除面に移行して少量となってきた時、ローラ収納室８内の片端側の拭きローラ９を支持するローラ取外しドア組立１２を開け、拭きローラ９を取外してローラ体１３に吸水させる。
図６において、拭きローラ９をローラ内軸受１４側を上向きにして矢印Ａの方向から水道水を流し込むと、ローラ内軸受１４の流水穴１４ａを通って水道水がローラシャフト１５内に入り、矢印Ｂのようにローラシャフト１５の内部に挿設された抗菌溶出体１６に接触する。抗菌溶出体１６は表面に抗菌剤の被膜１６ａを有するので、水道水と接触した抗菌溶出体１６は微量な抗菌剤を溶出し、水道水と混合して抗菌水２５となって、ローラシャフト１５に開口した放水穴１５ａより流出してローラ体１３に保水される。
【００１９】
抗菌水が保水された拭きローラ１３は、保水量を適度に調節し、取外しと逆な作業で吸込口１のローラ収納室８内にセットして掃除作業が行われる。拭きローラ１３に保水された抗菌水２５は一連の掃除作業で被掃除面の湿式拭き掃除に使用される。
そこで、拭きローラ９のローラ体１３に保持される水を抗菌作用のある水とするので、湿式拭き掃除終了後に充分な洗浄等の手入れなしに、乾燥しにくい環境下においても、拭きローラ９に保持された水の腐食を抑制でき、拭きローラ９を清潔に保つことができる。さらに、湿式拭き掃除終了後に拭きローラ９を取り外して水洗すれば、一層腐食防止の効果があがる。
また、湿式拭き掃除においては、抗菌作用を有する水で床面の拭き掃除をするので、清潔な拭き掃除ができる。
【００２０】
また、図７はローラシャフト１５の内部に挿設された抗菌溶出体１６の変形例で、ローラシャフト１５の内部にボール状の溶解調整を施した抗菌剤含有の球状体２４を配設している。矢印Ａの方向から水道水を流し込むと、ローラ内軸受１４の流水穴１４ａを通って水道水がローラシャフト１５内に入り、矢印Ｃのようにローラシャフト１５の内部に配設したボール状の抗菌剤含有の球状体２４に接触する。水道水と接触した抗菌剤含有の球状体２４は抗菌剤の微量を溶出し、水道水と混合して抗菌水２５となって、ローラシャフト１５に開口した放水穴１５ａより流出してローラ体１３に保水される。このようにしても、前記と同様な効果が得られる。
また、抗菌剤含有の球状体２４は、拭きローラを使用することにより、相互衝突による表面磨耗により、新しい面がでることにより、ローラシャフト１５内に水道水を入れるたびに抗菌剤の溶出が容易となる。
【００２１】
実施の形態２．
次に、実施の形態２を図８を用いて説明する。図８は、実施の形態２に係わる拭きローラの吸水動作を説明する図である。なお、実施の形態１と同様の構成には同じ符号を付し、その説明は省略する。
図８において、蓄水した容器中に入れた拭きローラ９はローラシャフト１５の外周表面に銀(Ａｇ)を主成分とする抗菌剤の被膜２６が添着され、抗菌剤層が形成されている。拭きローラ９を容器中の水中に入れることにより、ローラ体１３を通った水がローラシャフト１５の外周表面の抗菌剤の被膜２６に接触する。この被膜２６は水分に触れると被膜を構成する銀(Ａｇ)が＋の電気を帯びた銀イオンになって被膜２６から出てくる。この時、被膜２６から出ていく銀イオンは極微量であるが、強力な抗菌効果を発揮することで知られている。銀イオンの抗菌効果は、微生物の細胞は−の電気を帯びていて、これに＋の電気を帯びた銀イオンが接触すると細胞が破壊され、微生物が死滅してしまうことは公知の技術である。
【００２２】
次に、所定の時間浸けた後、拭きローラ９を容器中の水中から取り上げ、ローラ体１３の抗菌水２５の保水量を適度に水分調整して、吸込口１のローラ収納室８内にセットして実施の形態１と同様に湿式拭き掃除を行う。このようにすれば、拭きローラ９のローラ体１３の保水を抗菌作用のある水とするので、湿式拭き掃除終了後に充分な洗浄等の手入れなしに、乾燥しにくい環境下においても、拭きローラ９に保持された水の腐食を抑制でき、拭きローラ９を清潔に保つことができる。さらに、湿式拭き掃除終了後に拭きローラ９を取り外して水洗すれば、一層腐食防止の効果があがる。
また、湿式拭き掃除においては、抗菌作用を有する水で床面の拭き掃除をするので、清潔な拭き掃除ができる。
さらに、ローラシャフト１５の外周表面の銀被膜２６から出てきた銀イオンは、容器に蓄水した水全体を抗菌水にすることになる。この抗菌水２５は抗菌作用を有するため、他の雑巾のような水分吸収体に適量吸水させて、机上や家具類等の湿式拭き掃除が可能である。
【００２３】
実施の形態１、２に記載の電気掃除機用吸込具を、吸込具として電気掃除機に使用することにより、前記作用効果を有する吸込具を備えた電気掃除機が得られる。
【産業上の利用可能性】
【００２４】
この発明の拭きローラ９付きの吸込具は電気掃除機用吸込具に利用可能であり、また、この電気掃除機用吸込具を電気掃除機に利用できる。
【図面の簡単な説明】
【００２５】
【図１】この発明の実施の形態１に係わる電気掃除機用吸込具の概略構成を示す上方斜視図である。
【図２】この発明の実施の形態１に係わる電気掃除機用吸込具の概略構成を示す下方斜視図である。
【図３】この発明の実施の形態１に係わる電気掃除機用吸込具の縦断面図である
【図４】この発明の実施の形態１に係わる電気掃除機用吸込具の横断面図である。
【図５】この発明の実施の形態１に係わる電気掃除機用吸込具の拭きローラのローラシャフトの斜視図である。
【図６】この発明の実施の形態１に係わる電気掃除機用吸込具の拭きローラの吸水時の動作図である。
【図７】この発明の実施の形態１に係わる電気掃除機用吸込具の別の拭きローラ中の吸水時の動作図である。
【図８】この発明の実施の形態２に係わる電気掃除機用吸込具の拭きローラの吸水時の動作の断面図である。
【符号の説明】
【００２６】
１  吸込具、６  吸込口、５  吸込径路、６ａ、２２  車輪、９  拭きローラ、１３  ローラ体、１５  ローラシャフト、２４  抗菌剤含有の球状体、２６  抗菌剤層。
【図１】
2005066061.tif 000003
【図２】
2005066061.tif 000004
【図３】
2005066061.tif 000005
【図４】
2005066061.tif 000006
【図５】
2005066061.tif 000007
【図６】
2005066061.tif 000008
【図７】
2005066061.tif 000009
【図８】
2005066061.tif 000010